(57)【要約】【課題】情報提供サービスにおいて新規情報の登録の信頼性と迅速性を高めることにある。【解決手段】情報提供装置に新規情報を登録するにあたり、登録者が情報提供サービス加入者であることを識別し、情報提供サービス加入者である場合に該新規情報を登録し、且つ、該新規情報を登録した情報提供サービス加入者を記録する。更に、新規登録情報を全体に開示してもよいかの可否を情報提供サービス提供者が指定する特定の情報提供サービス加入者に判定させ、その結果を集計し、開示賛成もしくは開示反対の数に基づいて開示／非開示とする。【選択図】図５
2005339244.tif 000002
【特許請求の範囲】
【請求項１】
インターネットプロトコル網上の情報転送装置と網終端装置及び情報提供装置と情報端末から構成されるネットワークにより、情報提供装置から情報提供サービス加入者に対して情報の提供を行う情報提供サービスにおいて、新規に情報提供装置から提供する情報を登録するにあたり、情報提供装置において登録者が情報提供サービス加入者であることを識別し、情報提供サービス加入者である場合に情報提供装置に新規情報の登録を許可するとともに該新規情報を登録し、且つ、該新規情報を登録した情報提供サービス加入者を記録することを特徴とする情報更新方法。
【請求項２】
請求項１記載の情報更新方法において、情報提供サービス加入者が登録した新規情報を、情報提供サービス提供者が指定する特定の情報提供サービス加入者に対してのみ提供することを特徴とする情報更新方法。
【請求項３】
請求項２に記載の情報更新方法おいて、情報提供サービス加入者が登録した新規情報を提供された、情報提供サービス提供者が指定する特定の情報提供サービス加入者端末が、提供された新規情報を全ての情報提供サービス加入者へ提供することを許可あるいは不許可とすることを情報提供装置に通知し、情報提供装置は、該通知を行った特定の情報提供サービス加入者を記録するとともに、許可または不許可とすることを通知した特定の情報提供サービス加入者の数を計数し、計数した許可とすることを通知した特定の情報提供サービス加入者の数が情報提供サービス提供者において設定する数を情報提供サービス提供者が設定した期間において超えた場合あるいは計数した不許可とすることを通知した特定の情報提供サービス加入者の数が情報提供サービス提供者において設定する数を情報提供サービス提供者が設定した期間において超えなかった場合に、該新規情報を全ての情報提供サービス加入者に対して提供するとともに該新規情報を登録した情報提供サービス加入者を記録し、計数した許可とすることを通知した特定の情報提供サービス加入者の数が情報提供サービス提供者において設定する数を情報提供サービス提供者が設定した期間において超えなかった場合あるいは計数した不許可とすることを通知した特定の情報提供サービス加入者の数が情報提供サービス提供者において設定する数を情報提供サービス提供者が設定した期間において超えた場合に、該新規情報を破棄することを特徴とする情報更新方法。
【請求項４】
請求項１〜３の何れかに記載の情報更新方法において、新規情報を登録した情報提供サービス加入者の記録、または、全ての情報提供サービス加入者に対して提供することとなった新規情報を登録した情報提供サービス加入者の記録及び新規情報を全ての情報提供サービス加入者へ提供することを許可あるいは不許可とすることを情報提供装置に通知した特定の情報提供サービス加入者の記録に記載された情報提供サービス加入者に対する情報提供サービスの提供に係る料金を情報提供サービス提供者が定める料率または料金を適用することを特徴とする情報更新方法。
【請求項５】
請求項１記載の情報更新方法を実施するための情報提供装置であって、提供情報を蓄積管理する情報データベースと、情報提供サービス加入者のデータを有し、情報提供サービス加人者を識別するとともに、情報を登録した情報提供サービス加入者を記録する情報提供サービス加入者管理部と、新規情報の登録を申請した情報端末が情報提供サービス加入者であるかどうかを前記情報提供サービス加入者管理部に問い合わせ、情報提供サービス加入者である場合に、情報データベースへの情報登録を行う情報登録制御部とを具えることを特徴とする情報提供装置。
【請求項６】
請求項５に記載の情報提供装置において、請求項２記載の方法を実施するために、前記情報登録制御部は、新規に登録する情報のデータベースへの登録にあたり、該情報が新規情報であることがわかるマークを付し、情報送信制御部が、マークを付した新規情報は、前記情報提供サービス加入者管理部に登録された情報提供サービス提供者が指定する特定の情報提供サービス加入者に送信することを特徴とする情報提供装置。
【請求項７】
請求項６に記載の情報提供装置において、請求項３記載の方法を実施するために、更に、特定の情報提供サービス加入者からの許可・不許可通知処理部を具え、該処理部は許可または不許可の通知があらかじめ指定された特定の情報提供サービス加入者であるかを情報提供サービス加入者管理部に問い合わせ、情報提供サービス加入者管理部はあらかじめ指定された情報提供サービス加入者である場合は通知を受信したことを記録して許可・不許可通知処理部に特定の情報提供サービス加入者であることを通知し、該通知をうけて許可・不許可通知処理部は許可あるいは不許可の通知を受け付け、該通知を行った特定の情報提供サービス加入者を許可数または不許可数としてカウントし、あらかじめ設定された閾値と比較して、該新規情報を全ての情報提供サービス加入者に提供するか、情報提供サービス加入者へ提供する情報データベースから削除するかを決定するとともに、全ての情報提供サービス加入者に提供することとなった新規情報を登録した情報提供サービス加入者を情報提供管理部に通知し登録することを特徴とする情報提供装置。
【請求項８】
請求項７に記載の情報提供装置において、請求項４記載の方法を実施するために、更に、課金制御部を具え，該課金制御部が、情報提供サービス管理部から、新規情報を登録した情報提供サービス加入者の記録、または、全ての情報提供サービス加入者に対して提供することとなった新規情報を登録した情報提供サービス加入者の記録及び新規情報を全ての情報提供サービス加入者へ提供することを許可あるいは不許可とすることを情報提供装置に通知した特定の情報提供サービス加入者の記録の通知を受けて、情報提供サービス提供者が定める料率または料金により該記録に記載される情報提供サービス加入者に対する料金を決定することを特徴とする情報提供装置。
【請求項９】
請求項１に記載の情報更新方法を実行させるためのコンピュータプログラムであって、該コンピュータプログラムは、
情報提供サービス加入者端末が、情報を登録するにあたり、情報登録することを申請する通知を情報提供装置に通知するステップと、
申請者が情報提供サービス加入者であった場合に、情報提供装置が、情報登録を許可する通知を該情報提供サービス加入者に通知するとともに、該情報提供サービス加入者から登録する情報を受信し登録する準備を行うステップと、
該情報提供サービス加入者端末が、情報登録を許可する通知を受信した後に、登録する情報を情報提供装置に送信し、送信が完了したら完了したことを示す通知を情報提供装置に送信するステップと、
情報提供装置が、該情報提供サービス加入者から情報を受信し登録し、送信が完了したことを示す通知を受信したら該情報提供サービス加入者を記録するとともに、該情報提供サービス加入者からの情報の受信、登録状態の設定を解除するステップと、
を具えることを特徴とするコンピュータプログラム。
【請求項１０】
請求項９記載のコンピュータプログラムにおいて、
前記情報提供装置が、新規情報の登録にあたり、該情報が新規情報であることがわかるマークを付し、マークを付した新規情報は、当該情報提供者装置に登録された情報提供サービス提供者が指定する特定の情報提供サービス加入者に送信するステップを更に具えることを特徴とするコンピュータプログラム。
【請求項１１】
請求項１０に記載のコンピュータプログラムにおいて、
情報提供サービス提供者が指定する特定の情報提供サービス加入者端末が、提供された新規情報を全ての情報提供サービス加入者に提供することを許可するか不許可とするかの通知を情報提供装置に通知するステップと、
情報提供装置が、予め定めた期間内において、許可するか不許可とするかの通知を受信し、許可数あるいは不許可数をカウントして、許可あるいは不許可の通知を行った情報提供サービス加入者を記録するステップ、
あらかじめ設定された許可数または不許可数の値に対して許可数が超えた場合あるいは不許可数が閥値を超えなかった場合にはすべての情報提供サービス加入者に対して該新規情報を提供するとともに、該新規情報を登録した情報提供サービス加入者を記録するステップ、及び
あらかじめ設定された許可数または不許可数の閾値に対して許可数が超えない場合あるいは不許可数が閾値を超えた場合には情報を削除するステップを具えることを特徴とするコンピュータプログラム。
【請求項１２】
請求項９〜１１の何れかに記載のコンピュータプログラムにおいて、
情報提供装置が、新規情報を登録した情報提供サービス加入者の記録、または、全ての情報提供サービス加入者に対して提供することとなった新規情報を登録した情報提供サービス加入者の記録及び全ての情報提供サービス加入者に新規登録情報を提供することを許可するか不許可とする通知をした特定の情報提供サービス加入者の記録の通知を受けて、情報提供サービス提供者が定める料率または料金により該記録に記載される情報提供サービス加入者に対する料金を決定するステップを更に具えることを特徴とするコンピュータプログラム。
【発明の詳細な説明】
【技術分野】
【０００１】
本発明は、インターネットプロトコル網上の情報転送装置と網終端装置及び情報提供装置と情報受信端末から構成されるネットワークおいて、情報提供サービスを提供する情報提供装置が提供する情報の情報収集および提供方法に関する。ＩＰ網において、近年、多彩なサービスが実現されており、情報提供サービスにおいては、情報の正確性とともに最新状態への更新の迅速性が要求されている。本発明は特にＩＰ網上で情報提供サービスを提供する情報提供装置において、提供情報の収集と更新を効率的に行うものである。
【背景技術】
【０００２】
一般に、情報提供サービスの情報提供装置において、提供情報は定期的な情報収集と内容確認手段をもとに情報更新することにより、正確性を確保している（例えば特許文献１及び２参照）。図１は従来の情報提供サービスの処理の流れを示す。情報提供装置は、定期的に情報を取得および更新を行い、情報提供サービス提供者が収集した情報の真偽判定を行い情報提供サービス加入者に更新情報を提供する。一方、情報提供サービス加入者側は、定期的に情報を受信する。
【０００３】
図１において、情報提供装置は定期的に情報提供したり、あるいは、加入者からの要求に一致した条件の情報を提供する（ステップ１）。情報提供装置の保持情報更新においては、情報提供装置管理者あるいは情報提供サービス提供者が既存情報の内容更新確認（ステップ２）及び、情報追加削除要否の判断（ステップ３）と、対象情報の真偽確認を実施（ステップ４）した上で、保持情報の更新を実施（ステップ５）する。
【０００４】
【特許文献１】特開２０００−２０１２３
【特許文献２】特開２００２−２７８８９３
【発明の開示】
【発明が解決しようとする課題】
【０００５】
従来方法では、情報提供装置において、提供情報の基となる保持情報は定期的な内容確認済み情報をもとに更新されることにより、正確性を確保しているが、更新の迅速性の観点では即応することが困難な状況にある。既に保持する情報の更改の場合であれば、内容確認により情報更新することは可能だが、新規情報の追加要否の確認においては、保持する情報以外の追加すべき情報有無の観点で調査することが必要となり、多大な稼動を要することになる。このため、情報提供サービスにおける情報提供装置が保持する情報の最新状態への更新が即応性を確保できないことや、実状に即したきめ細かい情報が反映されないことが問題となる。
【０００６】
本発明は、上記の点に鑑みなされたもので、新規情報の追加要否の判断と情報の更新時に多くの稼働を要する問題点を解決し、情報更新の即時性と更新情報内容の正確性の確保が可能な、情報転送装置と網終端装置及び情報提供装置と情報送受信端末から構成されるネットワークで実現されるサービスを提供することを目的とする。
【課題を解決するための手段】
【０００７】
上記の課題を解決するために、請求項1に係る発明の要旨は、インターネットプロトコル網上の情報転送装置と網終端装置及び情報提供装置と情報端末から構成されるネットワークにより、情報提供装置から情報提供サービス加入者に対して情報の提供を行う情報提供サービスにおいて、新規に情報提供装置から提供する情報を登録するにあたり、情報提供装置において登録者が情報提供サービス加入者であることを識別し、情報提供サービス加入者である場合に情報提供装置に新規情報の登録を許可するとともに該新規情報を登録し、且つ、該新規情報を登録した情報提供サービス加入者を記録することを特徴とする情報更新方法にある。
【０００８】
この情報更新方法によれば、情報提供装置に新規情報を登録する情報提供者が情報提供サービス加入者であるか確認し、情報を登録した情報提供サービス加入者の記録を行うので、新規情報の登録の迅速性と新規登録情報の信頼性が確保される。
【０００９】
請求項２に係る発明は、請求項１に記載の情報更新方法において、情報提供サービス加入者が登録した新規情報を、情報提供サービス提供者が指定する特定の情報提供サービス加入者に対してのみ提供することを特徴とする。
この方法によれば、情報提供サービス提供者が指定する特定の情報提供サービス加入者を例えば「審査員」とし、新規登録情報を全体に開示してもよいか否か判定してもらうことができる。
【００１０】
請求項３に係る発明は、請求項１又は２に記載の情報更新方法おいて、情報提供サービス加入者が登録した新規情報を提供された、情報提供サービス提供者が指定する特定の情報提供サービス加入者が、提供された新規情報を全ての情報提供サービス加入者へ提供することを許可あるいは不許可とすることを情報提供装置に通知し、情報提供装置は該通知を行った特定の情報提供サービス加入者を記録するとともに、許可または不許可とすることを通知した特定の情報提供サービス加入者の数を計数し、計数した許可とすることを通知した特定の情報提供サービス加入者の数が情報提供サービス提供者において設定する数を情報提供サービス提供者が設定した期間において超えた場合あるいは計数した不許可とすることを通知した特定の情報提供サービス加入者の数が情報提供サービス提供者において設定する数を情報提供サービス提供者が設定した期間において超えなかった場合に、該新規情報を全ての情報提供サービス加入者に対して提供するとともに該新規情報を登録した情報提供サービス加入者を記録し、計数した許可とすることを通知した特定の情報提供サービス加入者の数が情報提供サービス提供者において設定する数を情報提供サービス提供者が設定した期間において超えなかった場合あるいは計数した不許可とすることを通知した特定の情報提供サービス加入者の数が情報提供サービス提供者において設定する数を情報提供サービス提供者が設定した期間において超えた場合に、該新規情報を破棄することを特徴とする。
【００１１】
この方法によれば、情報提供サービス提供者が指定する特定の情報提供サービス加入者（「審査員」）がリアルタイムに行った、新規登録情報を全体に開示してもよいか否かの判定結果を情報提供装置が集計し、開示賛成もしくは開示反対の数に基づいて開示／非開示とすることができる。
【００１２】
請求項４に係る発明は、請求項１〜３の何れかに記載の情報更新方法において、新規情報を登録した情報提供サービス加入者の記録、または、全ての情報提供サービス加入者に対して提供することとなった新規情報を登録した情報提供サービス加入者の記録及び情報提供サービス加入者が登録した新規情報を全ての情報提供サービス加入者へ提供することを許可あるいは不許可とすることを情報提供装置に通知した情報提供サービス加入者の記録に記載された情報提供サービス加入者に対する情報提供サービスの提供に係る料金を情報提供サービス提供者が定める料率または料金を適用することを特徴とする。
この方法によれば、有用な新規登録情報の情報提供者や審査を行なう情報提供サービス加入者は情報提供サービスにおける料金優遇措置を受けることができる。
【００１３】
請求項５〜８に係る発明は請求項１〜４に記載の情報更新方法を実施する情報提供装置であり、請求項９〜１２に係る発明は請求項１〜４に記載の情報更新方法を実行するためのコンピュータプログラムであり、これらの発明は以下に記載する実施例の説明から明らかとなる。
【発明の効果】
【００１４】
本発明によれば、新規情報の登録の迅速性と新規登録情報の信頼性が確保される。
また、新規情報の登録の可否は情報提供サービス提供者が指定する特定の情報提供サービス加入者によりリアルタイムに判定されるので、迅速な最新情報の登録が可能となって、情報最新化の即応性が高まる。
また、登録許可された情報を提供した情報提供サービス加入者(情報提供者)や情報提供サービス提供者が指定する特定の情報提供サービス加入者(審査員)に対して情報提供サービスにおける料金優遇処置を提供することにより、最新情報の収集が促進される。
【発明を実施するための最良の形態】
【００１５】
図２は、本発明の情報提供システムを実現するネットワークを示し、１は情報提供装置、２はインターネットプロトコル網上の情報転送装置、３は網終端装置、４は情報端末４である。
【００１６】
図２に示す情報端末４は情報提供サービス加入者と同義である。物理的に同一の端末であっても複数の情報提供サービス加入者がそれぞれ別に情報提供サービスの提供を受ける場合、情報提供サービス加入者をそれぞれ異なる情報端末として扱う。以降、特に示す場合を除き、情報端末と情報提供サービス加入者は同義とする。
【００１７】
図３は、請求項１に記載の情報更新方法の処理手順の一例を示す図である。
本例では、図３に示すように、情報提供サービス加入者１が情報を登録するにあたり、情報登録することを申請する通知を情報提供装置に通知する。情報提供装置は申請者が情報提供サービス加入者であった場合に情報登録を許可する通知を該情報提供サービス加入者１に通知するとともに、該情報提供サービス加入者１から登録する情報を受信し登録する準備を行う。該情報提供サービス加入者１は情報登録を許可する通知を受信した後に、登録する情報を情報提供装置に送信し、送信が完了したら完了したことを示す通知を情報提供装置に送信する。情報提供装置は該情報提供サービス加入者１からの情報を受信し登録し、送信が完了したことを示す通知を受信したら該情報提供サービス加入者１を記録するとともに、該情報提供サービス加入者からの情報の受信、登録状態の設定を解除する。
【００１８】
図４は図３に示す請求項１に記載の情報更新方法を実施する情報提供装置の一実施例を示す。本例報提供装置４は情報提供サービス加入者(情報端末)５との通信を行うインタフェース１１、情報提供サービス加入者への情報送信制御部１２、情報提供サービス加入者へ提供する情報データベース１３、情報提供サービス加入者からの各種通知受信制御部１４、情報提供サービス加入者への各種通知送信制御部１５、情報提供サービス加入者管理部１６、情報提供サービス加入者からの情報登録制御部１７を有する。
【００１９】
情報提供サービス加入者との通信を行うインタフェース１１は、情報提供サービス加入者との間で情報、各種通知の送受信を行う回線の接続部である。
【００２０】
情報提供サービス加入者へ提供する情報データベース１３は、情報提供サービス加入者に対して提供する情報を蓄積・管理する。
【００２１】
情報提供サービス加入者への情報送信制御部１２は、情報提供を希望する情報端末が情報提供サービス加入者であることを情報提供サービス加入者管理部１６に問い合わせ、情報提供サービス加入者である場合に該情報提供サービス加入者に対して必要な情報をデータベースから検索して送信処理を行う。
【００２２】
情報提供サービス加入者からの各種通知受信制御部１４は、情報提供サービス加入者からの通知を受信し通知に応じて情報提供サービス加入者への情報送信制御部１２、情報提供サービス加入者からの情報登録制御部１７、情報提供サービス加入者への各種通知送信制御部１５に対して各制御部が必要な動作を行うための通知を行う。
【００２３】
情報提供サービス加入者への各種通知送信制御部１５は、情報提供サービス加入者に対して、情報提供サービス加入者からの各種通知受信制御部１４、情報提供サービス加入者からの情報登録制御部１７などからの通知に応じて必要な通知を情報提供サービス加入者に通知する。
【００２４】
情報提供サービス加入者からの情報登録制御部１７は、情報提供サービス加入者からの各種通知受信制御部１４からの通知により情報登録を申請した情報端末が情報提供サービス加入者であるかどうかを情報提供サービス加入者管理部に問い合わせ、情報提供サービス加入者である場合は、図３に示す処理にしたがい、情報提供サービス加入者への各種通知送信制御部１５への必要な通知の送信の依煩、情報提供サービス加入者へ提供する情報データベース１３への情報登録などを行う。
【００２５】
情報提供サービス加入者管理部１６は、情報提供サービス加入者のデータを有し、情報提供サービス加人者を識別するとともに、情報を登録した情報提供サービス加入者を記録する。
【００２６】
図４の情報提供装置は請求項２に記載の情報更新方法を実施することもできる。この場合には、図４の情報提供サービス加入者からの情報登録制御部１７は新規に登録する情報のデータベースへの登録において、該情報が新たな情報であることがわかるマークを付し、情報提供サービス加入者への情報送信制御部１２は、マークを付した情報は、情報提供を希望する情報端末が情報提供サービス加入者であることを情報提供サービス加入者管理部に問い合わせ、情報提供サービス提供者が指定する特定の情報提供サービス加入者である場合にのみ該情報提供サービス加入者に対して必要な情報をデータベースから検索して送信処理を行う。
【００２７】
図５は請求項３に記載の情報更新方法の一例の処理シーケンスを示す。
本例では、図５に示すように、情報提供装置にあらかじめ登録された情報を全ての情報提供サービス加入者に提供することを許可するか否かの判定を行いその結果の通知を行う特定の情報提供サービス加入者（「審査員」）を指定し、許可通知数および不許可通知数の閾値および通知を受け付ける期間を指定する。
【００２８】
情報提供サービス加入者１が情報を登録するにあたり、情報登録することを申請する通知を情報提供装置に通知する。情報提供装置は申請者が情報提供サービス加入者であった場合に情報登録を許可する通知を該情報提供サービス加入者１に通知するとともに、該情報提供サービス加入者１から登録する情報を受信し登録する準備を行う。該情報提供サービス加入者１は情報登録を許可する通知を受信した後に、登録する情報を情報提供装置に送信し、送信が完了したら完了したことを示す通知を情報提供装置に送信する。情報提供装置は該情報配信サービス加入者１からの情報を受信し登録し、送信が完了したことを示す通知を受信したら該情報提供サービス加入者１を記録するとともに、該情報提供サービス加入者からの情報の受信、登録状態の設定を解除する。
【００２９】
情報提供サービス加入者１からの情報の登録においては該情報が新たな情報であることがわかるマークを付し、マークを付した情報は、登録された情報を全ての情報提供サービス加入者に提供することを許可あるいは不許可とする通知を行う特定の情報提供サービス加入者２，３に対してのみ提供する。
【００３０】
登録された情報を全ての情報提供サービス加入者に提供することを許可または不許可とする通知を行う特定の情報提供サービス加入者２，３は、該情報が全ての情報提供サービス加入者に提供することを許可するか不許可とするかの通知を情報提供装置に通知し、情報提供装置は、予め定めた期間内において、許可するか不許可とするかの通知を受信し、許可数あるいは不許可数をカウントして、許可あるいは不許可の通知を行った特定の情報提供サービス加入者(審査員)を記録する。
【００３１】
情報提供装置は、あらかじめ設定された許可数または不許可数の閾値に対して許可数が超えた場合あるいは不許可数が超えなかった場合にはすべての情報提供サービス加入者に対して情報を提供し、あらかじめ設定された許可数または不許可数の閾値に対して許可数が超えない場合あるいは不許可数が超えた場合には情報を削除する。
【００３２】
請求項３の方法を実施する情報提供装置を図６に示す。図４の情報提供装置に対して特定の情報提供サービス加入者からの許可・不許可通知処理部１８を追加する。
【００３３】
許可・不許可の判定通知を行う特定の情報提供サービス加入者の情報をあらかじめ情報提供サービス加入者管理部１６に登録する。
【００３４】
許可・不許可の閾値をあらかじめ特定の情報提供サービス加入者からの許可・不許可通知処理部１８に設定する。
【００３５】
特定の情報提供サービス加入者からの許可・不許可通知処理部１８は許可または不許可の通知があらかじめ指定された情報提供サービス加入者からの通知であるかを情報提供サービス加入者管理部１６に問い合わせ、情報提供サービス加入者管理部１６はあらかじめ指定された情報提供サービス加入者である場合は通知を受信したことを記録して特定の情報提供サービス加入者からの許可・不許可通知処理部１８に特定の情報提供サービス加入者であることを通知し、該通知をうけて特定の情報提供サービス加入者からの許可・不許可通知処理部１８は許可あるいは不許可の通知を受け付け、該通知を行った特定の情報提供サービス加入者を許可数または不許可数としてカウントし、あらかじめ設定された閾値と比較して、該情報を全ての情報提供サービス加入者に提供するか、情報提供サービス加入者へ提供する情報データベースから削除するかを決定する。
【００３６】
該情報を全ての情報提供サービス加入者に提供することを決定した場合は、該情報に付与されている特定の情報提供サービス加入者への提供を示すマークを削除し、該情報を登録した情報提供サービス加入者を記録することを情報提供サービス加入者管理部１６に通知し、情報提供サービス加入者管理部１６は全ての情報提供サービス加入者に提供されることとなった情報を登録した情報提供サービス加入者(情報提供者)を記録する。情報提供サービス加入者への情報送信制御部１２は全ての情報提供サービス加入者に情報提供を行うことができる。
【００３７】
該情報を情報提供サービス加入者へ提供する情報データベース１３から削除することを決定した場合は、情報提供サービス加入者へ提供する情報データベース１３から削除し、該情報を登録した情報提供サービス加入者を記録することを情報提供サービス加入者管理部１６に通知し、情報提供サービス加入者管理部１６は削除されることとなった情報を登録した情報提供サービス加入者を記録する。
【００３８】
図７は、請求項１に記載の方法において新規情報を登録した情報提供サービス加入者に対し料金優遇措置を行なう請求項４に記載の方法を実施する情報提供装置であり、図５に示す情報提供装置の構成要素に加えて、情報提供サービス加入者に対する料金を決定する課金制御部１９を具える。課金制御部１９は、情報提供サービス加入者管理部１６から、情報データベース１３に新規情報を登録した情報提供サービス加入者の記録の通知を受けて、情報提供サービス提供者が定める料率または料金により該記録に記載される情報提供サービス加入者に対する料金を決定する。
【００３９】
図８は、請求項３に記載の方法において全ての情報提供サービス加入者に対して提供することとなった新規情報を登録した情報提供サービス加入者や、全ての情報提供サービス加入者に提供することを許可あるいは不許可とする判定通知を行った特定の情報提供サービス加入者に対し料金優遇措置を提供する請求項４に記載の方法を実施する情報提供装置であり、図６の情報提供装置の構成要素に加えて、情報提供サービス加入者に対する料金を決定する課金制御部１９を具える。
【００４０】
本例では、課金制御部１９は、情報提供サービス加入者管理部１６から、全ての情報提供サービス加入者に提供することとなった情報を登録した情報提供サービス加入者の記録の通知を受けて、情報提供サービス提供者が定める料率または料金により該記録に記載される情報提供サービス加入者に対する料金を決定する。
【００４１】
課金制御部１９は，更に、情報提供サービス加入者管理部１６から、全ての情報提供サービス加入者に新たに登録された情報を提供することを許可するか不許可とする通知をした情報提供サービス加入者の記録の通知を受けて、情報提供サービス提供者が定める料率または料金により該記録に記載される情報提供サービス加入者に対する料金を決定する。
【００４２】
図９は、本発明が適用される通信制御システムの全体構成を示す。既存項目の状況変化に伴う情報更新は(1)で示すように情報内容確認(真偽判定)箇所が限定的だが、新規情報項目及び情報内容の追加要否を判断する場合は(2)に示すように調査範囲が広範囲にわたり，多大の稼動を要するが、本発明によれば、新規情報の追加(登録)の要否は情報提供サービス提供者が指定する特定の情報提供サービス加入者によりリアルタイムに判定されるので、迅速な最新情報の登録が可能となって、情報最新化の即応性が高まる。
また、登録許可された情報を提供した情報提供サービス加入者(情報提供者)や情報提供サービス提供者が指定する特定の情報提供サービス加入者(審査員)に対して情報提供サービスにおける料金優遇処置を提供することにより、最新情報の収集が促進される。
【００４３】
以上、本発明の情報更新方法の処理手順及びこれらの処理を実行する手段を説明したが、これらの処理及び手段はコンピュータにより実行または実現することができ、本発明はこれらの処理又は手段を実行または実現するためのコンピュータプログラムも本発明の範囲に含むものである。
【図面の簡単な説明】
【００４４】
【図１】従来の情報提供サービスの処理手順を示す図である。
【図２】本発明を実現するネットワークの構成を示す図である。
【図３】本発明の請求項１に記載の情報更新方法の処理手順を示す図である。
【図４】図３に示す処理手順を実行する情報提供装置の構成を示す図である。
【図５】本発明の請求項２及び３に記載の情報更新方法の処理手順を示す図である。
【図６】図５に示す処理手順を実行する情報提供装置の構成を示す図である。
【図７】本発明の請求項４に記載の情報更新方法を実施する一実施例の構成図である。
【図８】本発明の請求項４に記載の情報更新方法を実施する他の実施例の構成図である。
【図９】本発明が適用される情報提供サービスシステムの全体高製図である。
【符号の説明】
【００４５】
１  情報提供装置
２  情報転送装置
３  網終端装置
４  情報端末（情報提供サービス加入者）
１１  インタフェース
１２  情報送信制御部
１３  情報データベース
１４  情報提供サービス加入者からの各種通知受信制御部
１５  情報提供サービス加入者への各種通知送信制御部
１６  情報提供サービス加入者管理部
１７  情報登録制御部
１８  許可・不許可通知処理部
１９  課金制御部
【図１】
2005339244.tif 000003
【図２】
2005339244.tif 000004
【図３】
2005339244.tif 000005
【図４】
2005339244.tif 000006
【図５】
2005339244.tif 000007
【図６】
2005339244.tif 000008
【図７】
2005339244.tif 000009
【図８】
2005339244.tif 000010
【図９】
2005339244.tif 000011